(57)【要約】      （修正有）【課題】浴槽の残り湯を給水ポンプを使用し洗濯の洗い水として再利用する際に、浴室内から浴室外に湿気が流出するのを防止することができる浴室ドアを提供する。【解決手段】浴室ドア１０を、脱衣室１と浴室２との間の出入り口Ｐに設置されるドア枠５内に開閉自在に配設する。浴室ドア１０に給水ポンプ３ａのホース３ｂを挿通可能とするホース挿通部４１を有する挿通モジュール部４０を配設する。挿通モジュール部４０に、ホース挿通部４１にホース３ｂを挿通時に、ホース３ｂとホース挿通部４１との間に生じる隙間を閉じる補助開閉部材を配設する。【選択図】図１
0003179048.tif 000002
【実用新案登録請求の範囲】
【請求項１】
浴室の出入り口に設置されるドア枠内に開閉自在に配設され、前記浴室内の浴槽から前記浴室外に設置された洗濯機に残り湯を供給する給水ポンプのホースを挿通可能とする浴室ドアであって、
前記浴室ドアが、引き戸又は折戸である場合には、前記浴室ドアの開き時に、前記浴室外から前記浴室内に向かう方向からみて、前記ドア枠と前記浴室ドアとで囲まれて形成される開放部分に臨む前記浴室ドアの外周縁部から、前記ホースを挿通可能に切り欠かれて形成され、
前記浴室ドアが、開き戸である場合には、前記ドア枠に枢支されている側と反対側の前記浴室ドアの外周縁部から、前記ホースを挿通可能に切り欠かれて形成され、
かつ、前記ホースの断面外周形状に対応した形状に形成され前記ホースを保持するホース保持部を有するホース挿通部と、
前記ホース挿通部を開閉可能とする開閉部材と、
前記ホースの断面外周形状に対応した形状に形成され前記ホースを前記ホース保持部とで挟み込む保持部を有し、前記ホース挿通部に前記ホースを挿通時に、前記ホースと前記ホース挿通部との間に生じる隙間を略閉じる補助開閉部材と、
を備えていることを特徴とする浴室ドア。
【請求項２】
前記浴室ドアは、前記浴室外側に配置される表面部材と、前記浴室内側に配置される裏面部材とを有し、
前記開閉部材及び前記補助開閉部材は、前記表面部材と前記裏面部材との間に配置されるとともに互いに摺動可能に形成され、
前記開閉部材が、前記補助開閉部材を係止する係止部を有し、前記ホース挿通部を閉塞するとともに前記補助開閉部材を係止する通常位置と、前記ホース挿通部を開放するとともに前記補助開閉部材の係止を解除する解除位置との間を移動可能に形成され、
前記補助開閉部材が、前記開閉部材の前記係止部に係止される被係止部を有し、前記開閉部材に係止されることにより前記ホース挿通部から外れた待機位置に保持され、前記開閉部材による係止が解除されることにより、前記待機位置と、前記ホースと前記ホース挿通部との間に生じる隙間を閉鎖する閉鎖位置との間を移動可能に形成されていることを特徴とする請求項１記載の浴室ドア。
【請求項３】
前記補助開閉部材が、付勢部材により前記閉鎖位置側に付勢され、
前記開閉部材が、前記ホースと当接する当接部を有するとともに、復帰部材により前記通常位置側、かつ、前記付勢部材の付勢方向とは異方向に付勢されていることを特徴とする請求項２記載の浴室ドア。
【請求項４】
前記浴室ドアの、前記浴室側の面と前記浴室外側の面とのいずれか一方の面が、前記浴室ドアの閉じ時に、前記ドア枠に配設された受け部に当接するように構成され、
前記開閉部材が、前記浴室ドアの前記受け部と当接する面側に開く開き戸として形成され、前記受け部と当接可能に形成されていることを特徴とする請求項１記載の浴室ドア。
【考案の詳細な説明】
【技術分野】
【０００１】
本考案は、浴槽の残り湯を洗濯の洗い水として再利用する際に、開放せずに給水ポンプを使用できる浴室ドアに関する。
【背景技術】
【０００２】
風呂の残り湯を洗濯で使用する際にホース、給水ポンプ等を用いて、浴槽から洗濯機に風呂の残り湯を入れることが行われていた。その際、浴室ドアを開放又は一部を開放することとなるので、浴室内の湿気が浴室外に広がってしまう原因となり、また、浴室ドアのロック機能が使用できなくなっていた。
【０００３】
これに対して、特許文献１に記載される浴室用ドアがあり、これによれば、ドアパネルと枠体とが接続される側と反対側の側端部に、ホースを挿通可能とする切り欠きが形成され、その切り欠きを開閉する切り欠き開閉部材が設けられるとともに、ドアパネルの側端部と切り欠きの連接部分近傍にホースの脱落を防止する係止部材が設けられていた。
【０００４】
切り欠き開閉部材は、弾性部材によってドアパネルの側端部と切り欠きの連接部分側に付勢されるとともに、連結部材により係止部材と連結されて連動可能に形成され、ホースが切り欠き奥方向に進入すると、切り欠き開閉部材も奥方向に移動し、それにともない係止部材が上昇してホースを係止する構成となっていた。
【０００５】
また、特許文献２には、ドアに開口部を形成し、開口部の前面に前蓋を開閉可能に設け、開口部内に下端に押え部を有するスライダが上下動可能に設けられ、前蓋の枢軸には羽根が形成され、羽根には、スライダの受板が摺接して、前蓋を回動させると、羽根及び受板を介してスライダが上下動し、開口部に挿通させたホースを押え部材で押えることができるホースの出入り口装置が記載されている。
【先行技術文献】
【特許文献】
【０００６】
【特許文献１】特開２００３−３４３１６６号公報
【特許文献２】特開２００２−２５７２６０号公報
【考案の概要】
【考案が解決しようとする課題】
【０００７】
しかし、特許文献１の浴室用ドアでは、係止部材でホースを係止する際には、切り欠き及び切り欠き開閉部材とホースとの間に隙間が生じてしまっていた。
【０００８】
また、特許文献２のホースの出入り口装置においても、ホースを開口部に挿通させる際には、前蓋がホースと干渉するため開口部を完全に閉じることができなかった。
【０００９】
いずれも、ホースを挿通時に生じる隙間から浴室内から浴室外に湿気が流失してしまう問題があった。
【００１０】
本考案は上記事情に鑑み、浴槽の残り湯を給水ポンプを使用し洗濯の洗い水として再利用する際に、浴室内から浴室外に湿気が流出するのを防止することができる浴室ドアを提供するものである。
【課題を解決するための手段】
【００１１】
請求項１記載の考案では、浴室の出入り口に設置されるドア枠内に開閉自在に配設され、浴室内の浴槽から浴室外に設置された洗濯機に残り湯を供給する給水ポンプのホースを挿通可能とする浴室ドアであって、浴室ドアが、引き戸又は折戸である場合には、浴室ドアの開き時に、浴室外から浴室内に向かう方向からみて、ドア枠と浴室ドアとで囲まれて形成される開放部分に臨む浴室ドアの外周縁部から、ホースを挿通可能に切り欠いて形成され、浴室ドアが、開き戸である場合には、ドア枠に枢支されている側と反対側の浴室ドアの外周縁部から、ホースを挿通可能に切り欠いて形成され、かつ、ホースの断面外周形状に対応した形状に形成されホースを保持するホース保持部を有するホース挿通部と、ホース挿通部を開閉可能とする開閉部材と、ホースの断面外周形状に対応した形状に形成されホースをホース保持部とで挟み込む保持部を有し、ホース挿通部にホースを挿通時に、ホースとホース挿通部との間に生じる隙間を略閉じる補助開閉部材と、を備える構成としている。
【００１２】
これによれば、ホース挿通部にホースを挿通する時に、保持部とホース保持部とでホースを挟み込み、補助開閉部材が、ホースとホース挿通部との間に生じる隙間を閉じるので、浴槽の残り湯を給水ポンプを使用し洗濯の洗い水として再利用する際に、浴室内から浴室外に湿気が流出するのを防止することができる。
【００１３】
また、浴室ドアを、浴室外側に配置される表面部材と、浴室内側に配置される裏面部材とを有する構成とし、開閉部材及び補助開閉部材を、表面部材と裏面部材との間に配置するとともに互いに摺動可能に形成して、開閉部材を、補助開閉部材を係止する係止部を有して、ホース挿通部を閉塞するとともに補助開閉部材を係止する通常位置と、ホース挿通部を開放するとともに補助開閉部材との係止を解除する解除位置との間を移動可能に形成し、補助開閉部材を、開閉部材の係止部に係止される被係止部を有して、開閉部材に係止されることによりホース挿通部から外れた待機位置に保持され、開閉部材の係止が解除されることにより、待機位置と、ホースとホース挿通部との間に生じる隙間を閉鎖させる閉鎖位置との間を移動可能に形成している。
【００１４】
これによれば、開閉部材をホースで押し込む等して通常位置から解除位置まで移動させると、ホース挿通部が開放されるとともに、補助開閉部材が開閉部材による係止から解除され、待機位置からホースとホース挿通部との間に生じる隙間を閉鎖する閉鎖位置まで移動可能となって、ホース挿通部にホースを挿通した時に、ホースとホース挿通部との間に生じる隙間を閉じることができる。
【００１５】
また、ホース挿通部にホースを挿通しない通常使用状態において、補助開閉部材は、浴室ドアの表面部材と裏面部材との間かつホース挿通部から外れた位置で開閉部材に係止された状態で収納され、ホースを挿通するためにホース挿通部を開放したときにのみ、補助開閉部材を閉鎖位置まで移動させ、ホースとホース挿通部との間に生じる隙間を閉鎖させることが可能となる。
【００１６】
また、補助開閉部材を、付勢部材により閉鎖位置側に付勢して、開閉部材を、ホースと当接する当接部を有するとともに、復帰部材により通常位置側、かつ、付勢部材の付勢方向とは異方向に付勢する構成とすることもできる。
【００１７】
これによれば、ホース挿通部にホースを挿通する時に、閉鎖位置側に付勢されている補助開閉部材の保持部とホース挿通部のホース保持部とでホースを挟持するとともに、通常位置側に付勢されている開閉部材の当接部が、ホースを異方向で当接することになるので、ホース挿通部にホースを挿通させる作業の前後に浴室ドアを開く際に、給水ポンプのホースがホース挿通部からとび出してしまうのを防止できる。
【００１８】
また、ホース挿通部からホースを取り出し補助開閉部材を待機位置まで戻すと、付勢部材の付勢力によって開閉部材がホース挿通部を自動的に閉じるので、開閉部材を閉じて通常使用状態に戻す作業をなくすことができる。
【００１９】
また、通常使用状態を考慮するならば、浴室ドアの、浴室側の面と浴室外側の面とのいずれか一方の面を、浴室ドアの閉じ時に、ドア枠に配設された受け部に当接するように構成して、開閉部材を、浴室ドアの受け部と当接する面側に開く開き戸として形成して、受け部と当接可能に形成することもできる。
【００２０】
上記構成によれば、浴槽から洗濯機に残り湯を供給しない通常使用状態において、開閉部材がドア枠に配設される受け部と当接するので、浴室ドアの閉じ時に、開閉部材のみを浴室外側から開けて浴室外側から浴室を覗かれることを防止できる。
【図面の簡単な説明】
【００２１】
【図１】本考案の第一の実施形態の浴室ドアの使用状態図である。
【図２】本考案の第一の実施形態の浴室ドアの正面図である。
【図３】本考案の第一の実施形態による浴室ドアのホース挿通部の（ａ）開閉部材を閉じた状態、（ｂ）ホース挿通部にホースを挿通した状態の斜視図である。
【図４】図３におけるホース挿通部の（ａ）開閉部材を閉じた状態、（ｂ）ホース挿通部にホースを挿通した状態、（ｃ）補助開閉部材によりホース挿通部を閉塞された状態、をあらわす動作説明図である。
【図５】本考案の第二の実施形態による浴室ドアのホース挿通部の（ａ）正面図、（ｂ）右側面図、（ｃ）ホース挿通部にホースを挿通した状態の側面図である。
【図６】本考案の第三の実施形態による浴室ドアのホース挿通部の（ａ）正面図、（ｂ）右側面図、（ｃ）ホース挿通部にホースを挿通した状態の側面図である。
【考案を実施するための形態】
【００２２】
本考案による浴室ドアの第一の実施形態を図面に基づいて説明する。以下の説明において、図１の矢印の、Ｆを前、Ｂを後ろ、Ｒを右、Ｌを左、Ｕを上、Ｄを下、とする。
【００２３】
浴室ドア１０は、慨略的には、図１に示すように、脱衣室１と浴室２との間の出入り口Ｐに設置されるドア枠５内に開閉自在に配設され、浴室ドア１０を閉じたまま給水ポンプ３ａのホース３ｂを挿通可能として、浴室２内の浴槽４から脱衣室１内の洗濯機３に残り湯Ｗを供給可能にするものである。
【００２４】
ドア枠５は、図１、２に示すように、上下方向に沿って配設される左縦枠体６及び右縦枠体７と、左右方向に沿って配設される上横枠体８及び下横枠体９と、を有している。
【００２５】
浴室ドア１０は、図１、２に示すように、第一ドア２０と第二ドア３０とが図示しないヒンジ部によって連結される折戸で、浴室２側に押し込まれ左側に開くように構成されている。
【００２６】
第一ドア２０及び第二ドア３０は、それぞれ、左右一対の縦枠材２１、２２、３１、３２と、上下一対の上下枠材２３、２４、３３、３４と、中間枠材２５、３５と、上下一対の面部材２６、２７、３６、３７と、を有している。中間枠材３５には、取っ手３５ａが装着されている。
【００２７】
縦枠材３２には、給水ポンプ３ａのホース３ｂを挿通可能にする、ホース挿通部４１を有する挿通モジュール部４０が配設されている。
【００２８】
挿通モジュール部４０は、図３、４に示すように、脱衣室１側（前側）に配置される表面部材４２と、浴室２側（後側）に配置される裏面部材４３と、表面部材４２と裏面部材４３とを前後方向において連結する区角壁部４４及びガイド壁部４５と、を有している。表面部材４２には、後述するスライドレバー４９ｃを挿通可能に前後方向に貫通して、上下方向に沿って形成された長孔４２ａが設けられている。
【００２９】
本実施形態では、挿通モジュール部４０は、縦枠材３２と別体で形成され、ねじ等で縦枠材３２に装着されている。
【００３０】
区角壁部４４は、前後方向からみて、表面部材４２及び裏面部材４３の、ホース挿通部４１の開口部分及びその周辺を除いた外周縁部に配設され、挿通モジュール部４０と縦枠材３２との境界部分を形成している。
【００３１】
区角壁部４４は、上壁部４４ａ、下壁部４４ｂ、左壁部４４ｃ、右上壁部４４ｄ、右下壁部４４ｅを有し、下壁部４４ｂの内側の面は、後述する開閉部材４６を案内可能に、右上壁部４４ｄの内側の面は、補助開閉部材４９を案内可能に構成されている。
【００３２】
ガイド壁部４５は、横ガイド壁部４５ａと、縦ガイド壁部４５ｂと、を有し、横ガイド壁部４５ａは前後方向からみて、左壁部４４ｃの中央付近から左右方向に沿って延設され、縦ガイド壁部４５ｂは、横ガイド壁部４５ａの右端部から上方に延設されている。横ガイド壁部４５ａの下側の面は、後述する開閉部材４６を案内可能に、縦ガイド壁部４５ｂの右側の面は、後述する補助開閉部材４９を案内可能に構成されている。
【００３３】
挿通モジュール部４０には、ホース挿通部４１と、開閉部材４６と、補助開閉部材４９と、が配設されている。
【００３４】
ホース挿通部４１は、図３、４に示すように、前後方向からみて、挿通モジュール部４０の右側の外周縁部（特許請求の範囲のドア枠と浴室ドアとで囲まれて形成される開放部分に臨む浴室ドアの外周縁部に相当する）から左右方向左側に向かって切り欠かれた水平部４１ａと、水平部４１ａの左側の端部で上下方向下側に向かって切り欠かれた垂直部４１ｂと、を有して略Ｌ字状に形成されている。本実施形態では、表面部材４２及び裏面部材４３が、それぞれ同一形状に切り欠かれて形成されている。
【００３５】
垂直部４１ｂの下端部は、ホース３ｂの断面外周形状に対応した形状に形成されホース３ｂを保持するホース保持部４１ｃとして形成されている。本実施形態では、半円弧状に形成され、挿通されたホース３ｂの断面外周形状の下半分と当接し保持可能に形成されている。
【００３６】
ここで、「ホース３ｂの断面外周形状」とは、図３、４に参照するように、外周面に螺旋状に形成されたリブを有しているが、そのリブがない部分での断面外周形状をいう。
【００３７】
開閉部材４６は、前後方向からみて、矩形平板状に形成され、上下方向からみて、板厚が表面部材４２と裏面部材４３との間隔の約二分の一に形成される薄肉部４６ａと、板厚が表面部材４２と裏面部材４３との間隔と略同一で薄肉部４６ａに対して段差を有して前側に突出して形成された厚肉部４６ｂと、を有している。
【００３８】
薄肉部４６ａ右下の角部分が、区角壁部４４の右下壁部４４ｅの形状に対応する形状に切り欠かれ、切り欠き部分の右上側の角部分がホース３ｂと当接する当接部４６ｃとして形成されている。
【００３９】
前後方向からみて、厚肉部４６ｂの上端面は、薄肉部４６ａの上端面より下側、かつ、水平部４１ａの上端面と面一となるように位置して、厚肉部４６ｂの右側端面は、薄肉部４６ａの右側端面より左側に位置している。
【００４０】
厚肉部４６ｂの上端面が、補助開閉部材４９を係止する係止部４６ｄとして形成されている。厚肉部４６ｂの右側端面が、補助開閉部材４９の左側端面を案内可能なガイド面４６ｅとして形成されている。
【００４１】
開閉部材４６は、表面部材４２と、裏面部材４３との間に配置され、復帰部材４７としてのねじりコイルばね４７ａによって、右側（通常位置側）に付勢され、ホース挿通部４１を閉塞するとともに補助開閉部材４９を係止する通常位置と、補助開閉部材４９との係止を解除する解除位置との間を左右方向に沿って移動可能に形成されている。
【００４２】
本実施形態では、ねじりコイルばね４７ａは、前後方向に沿って円柱状に形成され表面部材４２と裏面部材４３とを連結する位置決め部４８に、コイル部分を外側に嵌め込むことで位置決めされている。
【００４３】
補助開閉部材４９は、板厚が表面部材４２と、裏面部材４３との間隔の約二分の一で矩形平板状に形成されている。
【００４４】
補助開閉部材４９の右上の角部分は、区角壁部４４の右上壁部４４ｄの形状に対応する形状に切り欠かれている。切り欠かれた右側端面が、右上壁部４４ｄの左側端面と摺動可能に形成されている。
【００４５】
補助開閉部材４９の左側端面は、縦ガイド壁部４５ｂの左側端面と摺動可能に形成されている。
【００４６】
補助開閉部材４９の下端部は、ホース３ｂの断面外周形状に対応した円弧形状に形成され、ホース３ｂを保持する保持部４９ａとして形成されている。本実施形態では、半円弧状に形成され、挿通されたホース３ｂの断面外周形状の上半分と当接し保持可能としている。
【００４７】
補助開閉部材４９の保持部４９ａの左側の下端面は、開閉部材４６の係止部４６ｄに係止される被係止部４９ｂとして形成されている。
【００４８】
補助開閉部材４９の前面には、断面長円形に形成され前側に突出するスライドレバー４９ｃが配設されている。長孔４２ａにスライドレバー４９ｃが挿通され、スライドレバー４９ｃは、補助開閉部材４９が回動するのを防止しつつ上下方向に移動可能に形成されている。
【００４９】
本実施形態では、係止部４６ｄと被係止部４９ｂとが接して補助開閉部材４９の下方向への移動が規制されている。
【００５０】
補助開閉部材４９は、表面部材４２と、裏面部材４３との間に配置され、付勢部材５０としてのねじりコイルばね５０ａによって下側（閉鎖位置側）に付勢され、開閉部材４６の係止部４６ｄに係止されてホース挿通部４１から外れた待機位置と、開閉部材４６の係止部４６ｄの係止が解除されてホース挿通部４１を閉鎖させる閉鎖位置との間を、上下方向に沿って移動可能に形成されている。
【００５１】
本実施形態では、ねじりコイルばね５０ａは、前後方向に沿って円柱状に形成され表面部材４２と裏面部材４３とを連結する位置決め部５１に、コイル部分を外側から嵌め込むことで位置決めされている。
【００５２】
なお、図３に示すように、裏面部材４３の補助開閉部材４９が配置される部分は、前側に開閉部材４６の薄肉部４６ａと同じ厚み分厚く形成され、上記裏面部材４３の補助開閉部材４９が配置される部分の前面と薄肉部４６ａの前面は面一に形成され、補助開閉部材４９が開閉部材４６の薄肉部４６ａの前側の面で摺動可能となるように形成されている。
【００５３】
次に上記構成の浴室ドア１０の使用態様を説明する（図４参照）。
【００５４】
図４（ａ）において、開閉部材４６は、ホース挿通部４１を閉塞するとともに補助開閉部材４９を係止する通常位置にあり、補助開閉部材４９は、開閉部材４６に係止されてホース挿通部４１から外れた待機位置にあり、浴室ドア１０は、通常使用状態にある。
【００５５】
浴室ドア１０を、開放させる。ホース３ｂをホース挿通部４１の水平部４１ａの開口している右方向から挿通して、さらに垂直部４１ｂに形成されたホース保持部４１ｃにホース３ｂを配置する。その際、図４（ａ）の通常位置にある開閉部材４６がホース３ｂにより、左方向に押されて図４（ｂ）の解除位置まで移動する。
【００５６】
そして、開閉部材４６の移動により係止部４６ｄの係止が解除され、待機位置にあった補助開閉部材４９が図４（ｃ）の閉鎖位置まで重力及びねじりコイルばね５０ａの付勢力により下側に移動して、ホース３ｂを、ホース保持部４１ｃと保持部４９ａで挟持する。この時、開閉部材４６がねじりコイルばね４７ａの付勢力により右側に戻され、開閉部材４６の厚肉部４６ｂのガイド面４６ｅが、補助開閉部材４９の左側端面を案内し、当接部４６ｃがホース３ｂに当接してホース保持部４１ｃの右側の面とでホース３ｂを挟持する。
【００５７】
よって、上下、左右方向でホース３ｂは挟持されることになる。そして、浴室ドア１０を閉じ、給水ポンプ３ａを作動させ、浴室２内の浴槽４から脱衣室１内の洗濯機３に残り湯Ｗを供給する。
【００５８】
残り湯Ｗの供給が終わったら、ホース３ｂを上側に移動させるとともに、スライドレバー４９ｃを上側に移動させ、補助開閉部材４９を図４（ｂ）の状態に戻す。補助開閉部材４９の被係止部４９ｂの下端が開閉部材４６の係止部４６ｄの上端面より上側の待機位置に戻ると、開閉部材４６がねじりコイルばね４７ａの付勢力により、右側に戻され、ホース３ｂを右側に押し出すとともにホース挿通部４１を閉じて図４（ａ）の通常位置に戻る。開閉部材４６の移動により係止部４６ｄが補助開閉部材４９の被係止部４９ｂを係止して待機位置に保持する。
【００５９】
上記実施形態の浴室ドア１０では、浴室２の出入り口Ｐに設置されるドア枠５内に開閉自在に配設され、浴室２内の浴槽４から脱衣室１に設置された洗濯機３に残り湯Ｗを供給する給水ポンプ３ａのホース３ｂを挿通可能とする浴室ドア１０であって、浴室ドア１０が、折戸であり、浴室ドア１０の開き時に、脱衣室１から浴室２内に向かう方向からみて、浴室ドア１０の右側の外周縁部（ドア枠５と浴室ドア１０とで囲まれて形成される開放部分に臨む浴室ドア１０の外周縁部）から、ホース３ｂを挿通可能に切り欠いて形成され、かつ、ホース３ｂの断面外周形状に対応した形状に形成されホース３ｂを保持するホース保持部４１ｃを有するホース挿通部４１と、ホース挿通部４１を開閉可能とする開閉部材４６と、ホース３ｂの断面外周形状に対応した形状に形成されホース３ｂをホース保持部４１ｃとで挟み込む保持部４９ａを有し、ホース挿通部４１にホース３ｂを挿通時に、ホース３ｂとホース挿通部４１との間に生じる隙間を略閉じる補助開閉部材４９と、を備える構成としている。
【００６０】
これによれば、ホース挿通部４１にホース３ｂを挿通する時に、保持部４９ａとホース保持部４１ｃとでホース３ｂを挟み込み、補助開閉部材４９が、ホース挿通部４１にホース３ｂを挿通する時に、ホース３ｂとホース挿通部４１と間に生じる隙間を閉じるので、浴槽４の残り湯Ｗを給水ポンプ３ａを使用し洗濯の洗い水として再利用する際に、浴室２内から脱衣室１に湿気が流出するのを防止することができる。
【００６１】
また、浴室ドア１０に配設される挿通モジュール部４０を、脱衣室１側に配置される表面部材４２と、浴室２内側に配置される裏面部材４３とを有する構成とし、開閉部材４６及び補助開閉部材４９を、表面部材４２と裏面部材４３との間に配置するとともに互いに摺動可能に形成して、開閉部材４６を、補助開閉部材４９の被係止部４９ｂを係止する係止部４６ｄを有して、ホース挿通部４１を閉塞するとともに補助開閉部材４９を係止する通常位置と、ホース挿通部４１を開放するとともに補助開閉部材４９の被係止部４９ｂとの係止を解除する解除位置との間を移動可能に形成し、補助開閉部材４９を、開閉部材４６の係止部４６ｄに係止される被係止部４９ｂを有して、開閉部材４６の係止部４６ｄに係止されることによりホース挿通部４１から外れた待機位置に保持され、開閉部材４６の係止部４６ｄの係止が解除されることによりホース３ｂとホース挿通部４１との間に生じる隙間を閉鎖させる閉鎖位置との間を移動可能に形成している。
【００６２】
これによれば、開閉部材４６をホース３ｂで押し込む等して通常位置から解除位置まで移動させると、ホース挿通部４１が開放されるとともに、補助開閉部材４９が開閉部材４６による係止から解除され、待機位置からホース３ｂとホース挿通部４１との間に生じる隙間を閉鎖する閉鎖位置まで移動可能となって、ホース挿通部４１にホース３ｂを挿通した時に、ホース３ｂとホース挿通部４１との間に生じる隙間を閉じることができる。
【００６３】
また、ホース挿通部４１にホース３ｂを挿通しない通常使用状態において、補助開閉部材４９は、浴室ドア１０の表面部材４２と裏面部材４３との間かつホース挿通部４１から外れた位置で開閉部材４６に係止された状態で収納され、ホース３ｂを挿通するためにホース挿通部４１開放したときにのみ、補助開閉部材４９を閉鎖位置まで移動させ、ホース３ｂとホース挿通部４１との間に生じる隙間を閉鎖させることが可能となる。
【００６４】
また、補助開閉部材４９を、ねじりコイルばね５０ａにより閉鎖位置側に付勢して、開閉部材４６を、ホース３ｂと当接する当接部４６ｃを有するとともに、ねじりコイルばね４７ａにより通常位置側、かつ、ねじりコイルばね５０ａの付勢方向とは異方向に付勢する構成とすることもできる。
【００６５】
これによれば、ホース挿通部４１にホース３ｂを挿通する時に、閉鎖位置側に付勢されている補助開閉部材４９の保持部４９ａとホース保持部４１ｃとでホース３ｂを挟持するとともに、通常位置側に付勢されている開閉部材４６の当接部４６ｃが、ホース３ｂを異方向で当接することになるので、ホース挿通部４１にホース３ｂを挿通させる作業の前後に浴室ドア１０を開く際に、給水ポンプ３ａのホース３ｂがホース挿通部４１からとび出してしまうのを防止できる。
【００６６】
また、ホース挿通部４１からホース３ｂを取り出し補助開閉部材４９を待機位置まで戻すと、ねじりコイルばね４７ａの付勢力によって開閉部材４６がホース挿通部４１を自動的に閉じるので、開閉部材４６を閉じて通常使用状態に戻す作業をなくすことができる。
【００６７】
また、浴室ドア１０の開き時に、脱衣室１から浴室２に向かう方向からみて、浴室ドア１０の右側の外周縁部にホース挿通部４１を形成して、浴室ドア１０の開き時に形成される開放部分から給水ポンプ３ａのホース３ｂをホース挿通部４１に挿入できるので、特に、ホース３ｂの先端部分にホース挿通部４１より大きいフィルタが装着されている場合に、ホース挿通部４１にホース３ｂを挿通させる作業を容易にすることができる。
【００６８】
また、浴室ドア１０の開き時にホース保持部４１ｃで給水ポンプ３ａのホース３ｂの移動を規制するので、ホース挿通部４１にホース３ｂを挿通させる作業をしやすくすることができる。
【００６９】
また、給水ポンプ３ａのホース３ｂの外周面に螺旋状に形成されたリブを、ホース保持部４１ｃにおける表面部材４２と裏面部材４３との間に配することで、ホース３ｂの前後方向への移動を規制することが可能となり、浴槽４の残り湯Ｗを給水ポンプ３ａを使用し洗濯の洗い水として再利用する際に、作業を安定させることができる。
【００７０】
なお、浴室ドア１０は、折戸で説明したが、引き戸、開き戸にも適用することも可能である。
【００７１】
また、浴室ドア１０の挿通モジュール部４０は、縦枠材３２を脱衣室１側に配置される表面部材３２ａと浴室２側に配置される裏面部材３２ｂと、を有する構成として、表面部材４２、裏面部材４３を、表面部材３２ａ、裏面部材３２ｂと一体とすることにより、縦枠材３２と一体形成することも可能である。
【００７２】
本考案の浴室ドアは上記構成に限定されるものではない。即ち、本考案の要旨を逸脱しない限り各種の設計変更等が可能である。
【００７３】
本考案の第二の実施形態を説明する。以下の説明において、第一の実施形態と同じ構成については、同一符号を付し全部又は一部の説明を省略する。
【００７４】
浴室ドア１０Ａは、矩形平板状で脱衣室１側に開く開き戸として構成され、図５（ａ）、（ｂ）、（ｃ）に示すように、前後方向からみて、右側の外周縁部が右から左に向かって矩形状に切り欠かれた切り欠き部６０を有している。
【００７５】
切り欠き部６０には、前後方向の幅が浴室ドア１０Ａの約二分の一に形成され、ホース挿通部８１を有した挿通モジュール部８０が配設されている。
【００７６】
挿通モジュール部８０は、脱衣室１側（前側）に配置される表面部材８２と、浴室２側（後側）に配置される裏面部材８３と、表面部材８２と裏面部材８３とを前後方向において連結する区角壁部８４を有している。表面部材８２には、スライドレバー４９ｃを挿通可能に前後方向に貫通して、上下方向に沿って形成された長孔８２ａが設けられている。
【００７７】
本実施形態では、挿通モジュール部８０は、浴室ドア１０Ａと別体で形成され、前後方向からみて左右方向に沿って摺動可能で、浴室ドア１０Ａに対して着脱可能に形成されている。
【００７８】
区角壁部８４は、前後方向からみて、表面部材８２及び裏面部材８３の、ホース挿通部８１の開口部分を除いた外周縁部に配設され、挿通モジュール部８０と浴室ドア１０Ａとの境界部分を形成している。
【００７９】
区角壁部８４は、上壁部８４ａ、下壁部８４ｂ、左壁部８４ｃ、右上壁部８４ｄ、右下壁部８４ｅを有し、右上壁部８４ｄの内側の面は、補助開閉部材４９を案内可能に構成されている。
【００８０】
挿通モジュール部８０には、ホース挿通部８１と、開閉部材８６と、補助開閉部材４９と、が配設されている。
【００８１】
ホース挿通部８１は、浴室ドア１０の右側の外周縁部から左右方向左側に向かって切り欠かれた水平部８１ａと、水平部８１ａの左側の端部で上下方向下側に向かって切り欠かれた垂直部８１ｂと、を有して略Ｌ字状に形成されている。
【００８２】
垂直部８１ｂの下端部は、ホース３ｂの断面外周形状に対応した形状に形成されホース３ｂを保持するホース保持部８１ｃとして形成されている。本実施形態では、半円弧状に形成され、挿通されたホース３ｂの断面外周形状の下半分と当接し保持可能に形成されている。
【００８３】
開閉部材８６は、前後方向からみて、矩形平板状に形成され、左右方向からみて、板厚が浴室ドア１０の約二分の一に形成され、切り欠き部６０の浴室２側（後側）に配設され、浴室２側に開く開き戸として構成されている。開閉部材８６は、左側の端部の中央付近で、浴室ドア１０Ａの浴室２側の面１２Ａと蝶番８７を介して連結され、切り欠き部６０（ホース挿通部８１を含む）を開閉可能に形成されている。
【００８４】
挿通モジュール部８０の裏面部材８３は、開閉部材８６の閉じ時に、開閉部材８６の脱衣室１側（前側）の面８６ａと当接して、浴室２内から脱衣室１に湿気が流出するのを防止可能に形成されている。
【００８５】
開閉部材８６の上端面及び下端面の右側には、磁石８８がそれぞれ配設され、切り欠き部６０の開閉部材８６の閉じ時における対向する部分には、磁石６１が配設され、浴室ドア１０Ａの通常使用状態において、開閉部材８６が開かないように構成されている。
【００８６】
ドア枠５の右縦枠体７の左側（内側）の面には、断面矩形状に形成された受け部７０としての戸当り７１が上下方向に沿って配設されている。
【００８７】
浴室ドア１０Ａの浴室２側の面１２Ａが、ドア枠５の右縦枠体７に配設される戸当り７１の脱衣室１側の面７１ａと当接可能に形成されている。
【００８８】
開閉部材８６の浴室２側の面８６ｂが、ドア枠５の右縦枠体７に配設される戸当り７１の脱衣室１側の面７１ａと当接可能に形成されている。
【００８９】
浴室ドア１０Ａの使用態様としては、浴室ドア１０Ａを開き、さらに、開閉部材８６を浴室ドア１０Ａに対して開く。補助開閉部材４９をホース挿通部８１から外れた待機位置にしておき、ホース挿通部８１にホース３ｂを挿通させ、浴室ドア１０Ａを閉じる。そして、スライドレバー４９ｃを移動させることにより補助開閉部材４９を閉鎖位置に移動させる。給水作業が終わったら、スライドレバー４９ｃを移動させることにより補助開閉部材４９を待機位置に戻し、浴室ドア１０Ａを開き、ホース３ｂを撤去して、開閉部材８６を閉じて通常位置に戻す。
【００９０】
上記構成の浴室ドア１０Ａによれば、浴槽４の残り湯Ｗを給水ポンプ３ａを使用し洗濯の洗い水として再利用する際に、浴室２内から脱衣室１に湿気が流出するのを防止することができることに加えて、浴槽４から洗濯機３に残り湯Ｗを供給しない通常使用状態において、開閉部材８６がドア枠５の右縦枠体７に配設される受け部７０としての戸当り７１と当接するので、浴室ドア１０Ａの閉じ時に、開閉部材８６のみを脱衣室１側（浴室外側）から開けて脱衣室１側から浴室２を覗かれることを防止できる。
【００９１】
なお、受け部７０は、戸当り７１に限られず、上下方向に沿って、ドア枠５の右縦枠体７の内側に断面コ字状に突出する形状としたり、ドア枠５の右縦枠体７に凹状のしゃくり溝に形成したりすることができる。
【００９２】
また、浴室ドア１０Ａは、開き戸で説明したが、その際、受け部７０を浴室ドア１０Ａの面１１Ａ、１２Ａのいずれか一方と当接可能とし、開閉部材８６を、浴室ドア１０Ａの受け部７０と当接する面側に開く開き戸として形成し、受け部７０の浴室ドアと当接する面と当接可能に形成するものであれば、折戸、引き戸であっても適用することができる。
【００９３】
例えば、浴室ドア１０Ａを浴室２側に開く開き戸として構成して、浴室ドア１０Ａの脱衣室１側の面１１Ａを、ドア枠５の右縦枠体７に配設される戸当り７１の浴室２側の面７１ｂと当接可能に形成し、開閉部材８６を脱衣室１側に開く開き戸として開閉部材８６の脱衣室１側の面８６ａを、ドア枠５の右縦枠体７に配設される戸当り７１の浴室２側の面７１ｂと当接可能に形成することも可能である。
【００９４】
例えば、浴室ドア１０Ａを引き戸で構成する場合は、閉じた状態において、浴室ドア１０Ａの浴室２側の面１１Ａを、ドア枠５の右縦枠体７に上下方向に沿って配設され、受け部７０としての凹状に形成されたしゃくり溝の、脱衣室１側の面と当接可能に形成し、開閉部材８６の浴室２側の面８６ｂを、ドア枠５の右縦枠体７に配設される上記しゃくり溝の脱衣室１側の面と当接可能に形成すれば、上記浴室ドア１０Ａと同様の効果を得ることができる。
【００９５】
本考案の第三の実施形態を説明する。以下の説明において、第一の実施形態及び第二の実施形態と同じ構成については、同一符号を付し全部又は一部の説明を省略する。
【００９６】
浴室ドア１０Ｂは、図６（ａ）、（ｂ）、（ｃ）に示すように、板厚が第二の実施形態の浴室ドア１０Ａの約二分の一に形成され、矩形平板状で脱衣室１側に開く開き戸として構成されている。
【００９７】
浴室ドア１０Ｂには、挿通モジュール部８０が配設され、開閉部材９０が挿通モジュール部８０の浴室ドア１０の浴室２側の面に配設されている。
【００９８】
開閉部材９０は、矩形平板状に形成され、ガイド部９１によって、上下方向に沿って移動可能に形成されている。ガイド部９１は、断面略Ｌ字状に形成され裏面部材８３から後側に突出して、挿通モジュール部８０の裏面部材８３の前後方向からみて、ホース挿通部８１及び上壁部８４ａに対応する部分を除く外周縁部に設けられている。
【００９９】
このような構成によっても、浴槽４の残り湯Ｗを、給水ポンプ３ａを使用し洗濯の洗い水として再利用する際の浴室ドア１０Ｂの閉じ時に、ホース挿通部８１にホース３ｂを挿通時に、ホース挿通部８１に生じる隙間を閉じることができる。
【符号の説明】
【０１００】
１  脱衣室
２  浴室
３  洗濯機
３ａ  給水ポンプ
３ｂ  ホース
４  浴槽
５  ドア枠
１０  浴室ドア
１０Ａ  浴室ドア
１１Ａ  面
１２Ａ  面
１０Ｂ  浴室ドア
４１  ホース挿通部
４１ｃ  ホース保持部
４２  表面部材
４３  裏面部材
４６  開閉部材
４６ｄ  係止部
４９  補助開閉部材
４９ａ  保持部
４９ｂ  被係止部
４９ｂ  被係止部
７０  受け部
７１  戸当り
７１ａ  面
７１ｂ  面
８０  挿通モジュール部
８１  ホース挿通部
８１ｃ  ホース保持部
８６  開閉部材
８６ａ  面
８６ｂ  面
９０  開閉部材
【図１】
0003179048.tif 000003
【図２】
0003179048.tif 000004
【図３】
0003179048.tif 000005
【図４】
0003179048.tif 000006
【図５】
0003179048.tif 000007
【図６】
0003179048.tif 000008